(57)【要約】【課題】  培養土材料の量を計測するための棹秤状の計測具であって、該培養土材料を混合して作った培養土を使用する栽培容器の大きさも計測でき、また、計測者が棹体に設けられた目盛りを正確かつ明確に読み取れる培養土材料計測具を提供する。【解決手段】  培養土材料計測具１は、棹体２と、錘体３と、計量容器４と、吊下体５とから構成される。棹体２は、長さ方向に沿って４つの突条２１が形成されており、錘体出入口端部２２に誤挿入防止部２３が設けられる。棹体２は、その上面に粗い目盛り２６ａと細かい目盛り２６ｂとからなる培養土材料計測用目盛り２６が設けられ、その下面に栽培容器計測用目盛り２７が設けられる。錘体３は、重量計測用錘体３１と軽量計測用錘体３２とがあり、いずれも挿通孔と透窓とを有する。計量容器４は計量容器吊下端部２７に吊り下げられ、吊下体５は支点部２５に取り付けられる。【選択図】      図１
2017146185.tif 000002
【特許請求の範囲】
【請求項１】
培養土材料の量を計測するための棹秤状の計測具であって、棹体と、錘体と、計量容器と、吊下体とから構成され、該棹体は、棒状の部材であって、横断面形状略十字形であり、長さ方向に沿って４つの突条が形成されており、該棹体の一端側は該棹体に対する該錘体の着脱を行う際にその出入口となる錘体出入口端部になっており、該錘体出入口端部には該錘体の誤挿入を防止するための誤挿入防止部が設けられているのに対して、該棹体の他端側は計量容器吊下端部になっており、該棹体の上面には該計量容器内に収容された培養土材料の量を示す培養土材料計測用目盛りが設けられていて、該突条を挟んで一側側には多量ないし重量な培養土材料を計量する際に用いる粗い目盛りが設けられているのに対し、他側側には少量ないし軽量な培養土材料を計量する際に用いる細かい目盛りが設けられており、該棹体の下面には栽培容器の大きさを計測する際に用いる栽培容器計測用目盛りが設けられており、該錘体は、重量計測用錘体と軽量計測用錘体とがあり、いずれも塊状の部材であって挿通孔と透窓とを有しており、該挿通孔は、該重量計測用錘体と該軽量計測用錘体とを交換可能なように該錘体に該棹体を着脱自在に挿通し、該錘体に該棹体の外周面上を摺動させるための挿通孔であって、その内周形状は該棹体における該錘体出入口端部の外周形状に沿った形状になっており、該透窓は、計測者がこれを介して該培養土材料計測用目盛りを読み取るための透窓であって、該重量計測用錘体には該挿通孔を挟んで一側側に設けられているのに対して、該軽量計測用錘体には該挿通孔を挟んで他側側に設けられており、該計量容器は、培養土材料を収容するための容器であって、該計量容器吊下端部に吊り下げられ、該吊下体は、該棹体を吊り下げるための部材であって、該棹体の中間にある支点部に取り付けられることを特徴とする培養土材料計測具。
【請求項２】
請求項１に記載した培養土材料計測具であって、前記錘体及び／又は前記計量容器の全部又は一部が透明性のある材料によって形成されていることを特徴とする培養土材料計測具。
【請求項３】
請求項１に記載した培養土材料計測具であって、前記重量計測用錘体に補助錘を取り付けていることを特徴とする培養土材料計測具。
【発明の詳細な説明】
【技術分野】
【０００１】
本発明は、棹秤に関し、特に植物を栽培する際に用いる培養土を構成する肥料、石灰、腐葉土等の各種の培養土材料の量を計測するための計測具に関する。
【背景技術】
【０００２】
一般に、上記のような各種の培養土材料を保管ないし運搬するための袋等の収納容器や該収納容器内に封入されている説明書等には、植木鉢やプランターといった各種の栽培容器の直径、面積、又は容積といった該栽培容器の大きさに応じて使用する量の数値が記載されている。栽培者は、この数値に応じた量の各種の培養土材料をそれぞれが収納されている収納容器から取り分けて混合し、培養土を作るのである。その際、各種の培養土材料が多過ぎても少な過ぎてもそれを使用する植物の生育に悪影響を与えるため、栽培者はなるべく正確に培養土材料の量を計測して取り分ける必要がある。そこで、電気秤といった各種の公知の計測具を用いて培養土材料の量を計測することになるが、その際に用いる計測具として以下のような棹秤を用いることが考えられる。
【０００３】
古来、目盛りを設けた棹体の一端に計測対象物を吊るし、その他端に分銅等の各種の錘体を吊るして、計測者が該棹体の中間に設けられた支点となる吊下体を把持しながら、該棹体が水平になるように該棹体上において該錘体を移動させ、該棹体の両端が釣り合ったときに該錘体が位置する目盛りを読んで該計測対象物の重量を計測する棹秤が提供されてきたところである。
【０００４】
上記のような棹秤は、各種の電気秤とは異なり、電気的なエネルギーを消費することなく培養土材料の計測を行うことができる点において好適である。また、培養土材料の量を計測する作業は一般に屋外で行われることが多いところ、土や泥等で秤が汚染されてしまうことがある。しかしながら、棹秤は、培養土材料の重量を計測した後、棹体と、錘体と、吊下体等に分解して隅々まで洗浄することができる点において好適である。それと同時に、棹秤は、これを分解することができるため、その保管ないし運搬の点においても好適である。更に、棹秤は上記のように比較的単純な構造であるから、屋外で風雨に暴露される等しても損壊し難いという点においても好適である。
【０００５】
このように棹秤は従来提供されてきた計測具であるが、その改良もまた従来行われてきたところである。まず、棹体に設ける目盛りとして、重量用の目盛りを設けるとともに、軽量用の目盛りを設けることによって、その重量が大小異なる計測対象であっても、正確にその重量を計測することができる計測具が提案されている。例えば、重量の測定精度をより微少にし得る不等比分銅秤に関し、分銅置きの他に別の下皿を付属させ、かつ目盛杆に新しく微少な重量目盛を従来目盛とは逆方向に刻印することにより、従来の測定機能を残したままでより微少な重量を測定可能にする不等比分銅秤（例えば、特許文献１参照。）が提案されている。また、中央に支点を有しており、両端に重点を有する天秤に計量用の大ビームと小ビーム又は２本以上の複数のビームを平行に設け、大ビームには大送錘を摺動自在に装着するとともに大送錘にて指示される粗い目盛りを設け、小ビームには小送錘を設けるとともに小送錘で示される細かい目盛りを設けたことを特徴とする秤り（例えば、特許文献２参照。）が提案されている。更に、大小任意の秤量の計量横棹を２本以上設け、秤台上の重量物の重量を任意比率に分割して、各計量横棹の重量作用点に作用させるトーナメント状の連結機構を設けることを特徴とする同一秤台で大小任意秤量の測定をすることができる計量装置（例えば、特許文献３参照。）も提案されている。このような棹秤であれば、特に計測対象物の細かな重量に至るまで正確に計測を行うことができ、好適である。
【０００６】
そして、棹体に挿通させて計量対象物と均衡させる錘体であって、該錘に透窓を穿設して計測者が該棹体に設けられた目盛りを読み取ることができるようにした計測具が提案されている。例えば、送錘の中部に透窓を穿設してその一部に指針を設けたことを特徴とする衡器における指針付き送錘（例えば、特許文献４参照。）が提案されている。このような錘体であれば、計測者は棹体に挿通させた該分銅に穿設された透窓を介して該棹体に設けられた目盛りを斜めからでもはっきりと読み取ることができ好適である。
【先行技術文献】
【特許文献】
【０００７】
【特許文献１】実開昭６２−９９８２３号公報
【特許文献２】実開昭４９−７６６６３号公報
【特許文献３】実開昭４８−６６４６４号公報
【特許文献４】昭和１２年実用新案出願公告第７５６１号公報
【発明の概要】
【発明が解決しようとする課題】
【０００８】
確かに、上記の従来技術に係る棹秤を用いることによって、計測者は培養土材料の量を計測することができる。しかしながら、果たして培養土材料の量を計測することができたとしても、そもそも該培養土材料を混合して作った培養土を使用する栽培容器の大きさが分からなければ、計測者はその量が適切であるか否かを判断することができないのである。
【０００９】
そこで、本発明が解決しようとする第１の課題は、培養土材料の量を計測するための棹秤状の計測具であって、該培養土材料を混合して作った培養土を使用する栽培容器の大きさもあわせて計測することができる培養土材料計測具を提供することにある。
【００１０】
また、上記の従来技術に係る棹秤は、棹体に重量用の目盛りと軽量用の目盛りとが上下二段に設けられているため、計測者が該目盛りを読み間違え易く、また読み取り難いという問題があった。
【００１１】
そこで、本発明が解決しようとする第２の課題は、培養土材料の量を計測するための棹秤状の計測具であって、計測者が棹体に設けられた目盛りを正確かつ明確に読み取ることができる培養土材料計測具を提供することにある。
【課題を解決するための手段】
【００１２】
本発明は、上記の各課題を解決するために提案されたものであり、以下の構成を有するものである。以下では、本発明の構成を理解することを補助するために、本願に添付した図面に表示した番号及び符号をあわせて記載する。
【００１３】
請求項１に係る培養土材料計測具（１）は、培養土材料の量を計測するための棹秤状の計測具であって、棹体（２）と、錘体（３）と、計量容器（４）と、吊下体（５）とから構成される。棹体（２）は、棒状の部材であって、横断面形状略十字形であり、長さ方向に沿って４つの突条（２１）が形成されている。棹体（２）の一端側は棹体（２）に対する錘体（３）の着脱を行う際にその出入口となる錘体出入口端部（２２）になっており、錘体出入口端部（２２）には錘体（３）の誤挿入を防止するための誤挿入防止部（２３）が設けられているのに対して、棹体（２）の他端側は計量容器吊下端部（２４）になっている。棹体（２）の上面には計量容器（４）内に収容された培養土材料（Ｘ）の量を示す培養土材料計測用目盛り（２６）が設けられており、突条（２１）を挟んで一側側には多量ないし重量な培養土材料（Ｘ）を計量する際に用いる粗い目盛り（２６ａ）が設けられているのに対し、他側側には少量ないし軽量な培養土材料（Ｘ）を計量する際に用いる細かい目盛り（２６ｂ）が設けられている。棹体（２）の下面には栽培容器（Ｙ）の大きさを計測する際に用いる栽培容器計測用目盛り（２７）が設けられている。錘体（３）は、重量計測用錘体（３１）と軽量計測用錘体（３２）とがあり、いずれも塊状の部材であって挿通孔（３１ａ、３２ａ）と透窓（３１ｂ、３２ｂ）とを有している。挿通孔（３１ａ、３２ａ）は、重量計測用錘体（３１）と軽量計測用錘体（３２）とを交換可能なように錘体（３）に棹体（２）を着脱自在に挿通し、錘体（３）に棹体（２）の外周面上を摺動させるための挿通孔であって、その内周形状は棹体（２）における錘体出入口端部（２２）の外周形状に沿った形状になっている。透窓（３１ｂ、３２ｂ）は、計測者がこれを介して培養土材料計測用目盛り（２６）を読み取るための透窓であって、重量計測用錘体（３１）には挿通孔（３１ａ）を挟んで一側側に設けられているのに対して、軽量計測用錘体（３２）には挿通孔（３２ａ）を挟んで他側側に設けられている。計量容器（４）は、培養土材料（Ｘ）を収容するための容器であって、計量容器吊下端部（２４）に吊り下げられる。吊下体（５）は、棹体（２）を吊り下げるための部材であって、棹体（２）の中間にある支点部（２５）に取り付けられる。
【００１４】
請求項２に記載した培養土材料計測具（１）は、請求項１に記載した培養土材料計測具であって、錘体（３）及び／又は計量容器（４）の全部又は一部が透明性のある材料によって形成されている。
【００１５】
請求項３に記載した培養土材料計測具（１）は、請求項１に記載した培養土材料計測具であって、重量計測用錘体（３１）に補助錘（３３）を取り付けている。
【発明の効果】
【００１６】
本発明に係る培養土材料計測具（１）は、上記の通りの構成であるから、以下のような効果を奏することができる。
【００１７】
まず、請求項１に記載した培養土材料計測具（１）は、棹体（２）の下面には栽培容器計測用目盛り（２７）が設けられている。よって、計測者は培養土材料（Ｘ）を混合して作る培養土を使用する栽培容器（Ｙ）に培養土材料計測具（１）をあてがって該栽培容器の大きさを計測し、栽培容器（Ｙ）の大きさに応じた適切な培養土材料（Ｘ）の量を把握した上で、培養土材料計測具（１）を使用して培養土材料（Ｘ）の量を計測することができる。
【００１８】
従って、請求項１に記載した培養土材料計測具（１）は、培養土材料の量を計測するための棹秤状の計測具であって、該培養土材料を混合して作った培養土を使用する栽培容器の大きさもあわせて計測することができる培養土材料計測具を提供するという本発明の第１の課題を解決することができる。
【００１９】
また、培養土材料計測具（１）は、重量計測用錘体（３１）における透窓（３１ｂ）が挿通孔（３１ａ）を挟んで一側側に設けられているのに対して、軽量計測用錘体（３２）における透窓（３２ｂ）が挿通孔（３２ａ）を挟んで他側側に設けられている。計測者は、多量ないし重量な培養土材料（Ｘ）を計量する際は重量計測用錘体（３１）における透窓（３１ｂ）が指し示す粗い目盛り（２６ａ）を読み取るのに対して、少量ないし軽量な培養土材料（Ｘ）を計量する際は軽量計測用錘体（３２）における透窓（３２ｂ）が指し示す細かい目盛り（２６ｂ）を読み取る。
【００２０】
また、培養土材料計測具（１）は、棹体（２）の錘体出入口端部（２２）には誤挿入防止部（２３）が設けられているため、計測者が重量計測用錘体（３１）と軽量計測用錘体（３２）とを取り違えて、棹体（２）に誤挿入することを防止している。
【００２１】
従って、請求項１に記載した培養土材料計測具（１）は、培養土材料の量を計測するための棹秤状の計測具であって、計測者が棹体に設けられた目盛りを正確かつ明確に読み取ることができる培養土材料計測具を提供するという本発明の第２の課題を解決することができる。
【００２２】
請求項２に記載した培養土材料計測具（１）は、請求項１に記載した培養土材料計測具であって、錘体（３）の全部又は一部が透明性のある材料によって形成されているため、計測者が棹体（２）に設けられた培養土材料計測用目盛り（２６）を正確かつ明確に読み取るのに好適である。あわせて、計量容器（４）の全部又は一部が透明性のある材料によって形成されているため、計測者が計量容器（４）内に収容された培養土材料（Ｘ）の量を把握するのに好適である。
【００２３】
請求項３に記載した培養土材料計測具（１）は、請求項１に記載した培養土材料計測具であって、重量計測用錘体（３１）に補助錘（３３）を取り付けているため、特に重量のある培養土材料（Ｘ）を計測する際も、難なくこれを行うことができ、好適である。
【００２４】
そして、本発明に係る培養土材料計測具（１）は、培養土材料（Ｘ）の量を計測することができるのはもちろん、棹体（２）の上面に多量ないし重量な培養土材料（Ｘ）を計量する際に用いる粗い目盛り（２６ａ）と少量ないし軽量な培養土材料（Ｘ）を計量する際に用いる細かい目盛り（２６ｂ）が設けられているため、特に少量ないし軽量の培養土材料（Ｘ）についてわずかな量に至るまで正確に計測を行うことができる。
【００２５】
また、本発明に係る培養土材料計測具（１）も、各種の電気秤とは異なり、電気的なエネルギーを消費することなく培養土材料（Ｘ）の計測を行うことができる。また、培養土材料計測具（１）が屋外での使用等により土や泥等で棹秤が汚染されてしまっても、棹体（２）と、錘体（３）と、計量容器（４）と、吊下体（５）等に分解して隅々まで洗浄することができる。それと同時に、培養土材料計測具（１）は、これを分解することができるため、その保管と運搬の点においても好適である。更に、培養土材料計測具（１）は上記のように比較的単純な構造であるから、屋外で風雨に暴露される等しても損壊し難いのである。
【図面の簡単な説明】
【００２６】
【図１】本発明の一実施形態に係る培養土材料計測具の構造を説明する全体図である。
【図２】本発明の一実施形態に係る培養土材料計測具を構成する棹体の正面図である。
【図３】本発明の一実施形態に係る培養土材料計測具を構成する棹体の側面図である。
【図４】本発明の一実施形態に係る培養土材料計測具を構成する棹体の上面図である。
【図５】本発明の一実施形態に係る培養土材料計測具を構成する棹体の下面図である。
【図６】本発明の一実施形態に係る培養土材料計測具を構成する重量計測用錘体の正面図である。
【図７】本発明の一実施形態に係る培養土材料計測具を構成する重量計測用錘体の断面図である。
【図８】本発明の一実施形態に係る培養土材料計測具を構成する重量計測用錘体の平面図である。
【図９】本発明の一実施形態に係る培養土材料計測具を構成する軽量計測用錘体の正面図である。
【図１０】本発明の一実施形態に係る培養土材料計測具を構成する軽量計測用錘体の断面図である。
【図１１】本発明の一実施形態に係る培養土材料計測具を構成する軽量計測用錘体の平面図である。
【図１２】本発明の一実施形態に係る培養土材料計測具を使用して栽培容器の大きさを計測する状態を説明する図である。
【図１３】本発明の一実施形態に係る培養土材料計測具につき重量計測用錘体を使用する状態を説明する図である。
【図１４】本発明の一実施形態に係る培養土材料計測具につき軽量計測用錘体を使用する状態を説明する図である。
【発明を実施するための形態】
【００２７】
まず、本発明の一実施形態に係る培養土材料計測具（１）の構造について添付図面に基づいて説明する。
【００２８】
培養土材料計測具（１）は、図１に図示するように、培養土材料の量を計測するための棹秤状の計測具であって、棹体（２）と、錘体（３）と、計量容器（４）と、吊下体（５）とから構成される。
【００２９】
棹体（２）は、図２ないし５に図示するように、棒状の部材であって、横断面形状略十字形であり、長さ方向に沿って４つの突条（２１）が形成されている。棹体（２）は、例えば各種のプラスチック材料、木材、金属材料等で形成することができるが、培養土材料（Ｘ）を収容した計量容器（４）を吊り下げる等しても容易に破損しない材料で形成するならば、特に限定されるものではない。
【００３０】
棹体（２）の一端側は、棹体（２）に対する錘体（３）の着脱を行う際にその出入口となる錘体出入口端部（２２）になっており、図３に図示するように、錘体（３）の誤挿入を防止するための誤挿入防止部（２３）が設けられている。誤挿入防止部（２３）は、例えば錘体出入口端部（２２）において２条の突条（２１）の基部の間に斜面を設けること等によって形成することができる。
【００３１】
棹体（２）の他端側は、計量容器吊下端部（２４）になっている。計量容器吊下端部（２４）は、計量容器吊下端部（２４）に計量容器（４）を連結する連結紐（６）を引っ掛けて吊り下げられるように、計量容器吊下端部（２４）の上面に係止突起（２８）を設けておくのが好適である。係止突起（２８）を設けておけば、計量容器（４）が棹体（２）から不意に外れて落下してしまうことを防止することができるためである。
【００３２】
棹体（２）は、図４に図示するように、計量容器（４）内に収容された培養土材料（Ｘ）の量を示す培養土材料計測用目盛り（２６）がその上面に設けられており、突条（２１）を挟んで一側側には多量ないし重量な培養土材料（Ｘ）を計量する際に用いる粗い目盛り（２６ａ）が設けられているのに対し、他側側には少量ないし軽量な培養土材料（Ｘ）を計量する際に用いる細かい目盛り（２６ｂ）が設けられている。具体的には、培養土材料計測用目盛り（２６）として、計量容器（４）内に収容された培養土材料の量を示す支点（２５）から錘体出入口端部（２２）へと順次大きくなる数値を記載しておく。尚、培養土材料計測用目盛り（２６）の開始位置は、計量容器（４）の重量を含めない培養土材料の量のみを指し示すことができるように、計量容器（４）の重量を考慮して支点（２５）から錘体出入口端部（２２）に向って若干離れた位置に設けるのが好適である。
【００３３】
棹体（２）の下面には栽培容器（Ｙ）の大きさを計測する際に用いる栽培容器計測用目盛り（２７）が設けられている。具体的には、栽培容器計測用目盛り（２７）として、錘体出入口端部（２２）から計量容器吊下端部（２４）へと順次大きくなる数値を記載したり、栽培容器（Ｙ）の直径や面積等の数値を記載したり、あるいは植木鉢の号数等の栽培容器（Ｙ）の種別を記載しておく。
【００３４】
棹体（２）は、その中間に支点部（２５）を設け、吊下体（５）を取り付けて吊り下げられるように貫通孔を穿設しておくのが好適である。
【００３５】
錘体（３）は、図６ないし１１に図示するように、重量計測用錘体（３１）と、軽量計測用錘体（３２）とがあり、いずれも塊状の部材であって挿通孔（３１ａ、３２ａ）と透窓（３１ｂ、３２ｂ）とを有している。錘体（３）は、例えば透明性のあるプラスチック材料やガラス材料によって形成すると、計測者が棹体（２）に設けられた培養土材料計測用目盛り（２６）を正確かつ明確に読み取るのに好適である。
【００３６】
挿通孔（３１ａ、３２ａ）は、図８及び１１に図示するように、重量計測用錘体（３１）と軽量計測用錘体（３２）とを交換可能なように錘体（３）に棹体（２）を着脱自在に挿通し、錘体（３）に棹体（２）の外周面上を摺動させるための孔部であって、その内周形状は棹体（２）の出入口端部の外周形状に沿った形状になっている。
【００３７】
透窓（３１ｂ、３２ｂ）は、計測者がこれを介して培養土材料計測用目盛り（２３）を読み取るための透窓であって、図８に図示するように重量計測用錘体（３１）には挿通孔（３１ａ）を挟んで一側側に設けられているのに対して、図１１に図示するように軽量計測用錘体（３２）には挿通孔（３２ａ）を挟んで他側側に設けられている。
【００３８】
重量計測用錘体（３１）は、補助錘取付孔部（３１ｃ）を穿設し、これに補助錘（３３）を嵌入して取り付けている。そうすると、特に多量ないし重量な培養土材料を計測する際も、重量計測用錘体（３１）に補助錘（３３）を取り付けることによって難なくこれを計測することができる。また、図では補助錘取付孔部（３１ｃ）は正円状であるが、これは補助錘（３３）が円柱状であるためであって、補助錘（３３）の形状等に応じて種々の形状にすることができる。
【００３９】
計量容器（４）は、図１に図示するように、培養土材料（Ｘ）を収容するための容器であって、容器本体（４ａ）と、蓋体（４ｂ）とから構成される。容器本体（４ａ）は例えば有底筒状の部材を用いることができ、蓋体（４ｂ）は容器本体（４ａ）の上面を覆うことができる部材であって、容器本体（４ｂ）の上面に着脱自在に取り付けることができ、容器本体（４ｂ）の上面の開放と閉鎖を行うことができる。計量容器（４）は、透明性のあるプラスチック材料やガラス材料等によって形成すると、計測者が計量容器（４）内に収容された培養土材料（Ｘ）の量を把握するのに好適である。
【００４０】
連結紐（６）は、例えばリング状に形成した針金等の線状部材や綿製の紐等の紐状部材を用いることができる。計量容器（４）は、連結紐（６）がその一端を計量容器（４）の上部に引っ掛けるとともにその他端を係止突起（２８）に引っ掛けることによって、計量容器吊下端部（２４）に吊り下げることができる。
【００４１】
吊下体（５）は、針金等の線状部材や綿製の紐等の紐状部材を用いることができ、図１に図示するように、棹体（２）を吊り下げるための部材であって、棹体（２）の中間にある支点部（２５）に設けられた貫通孔を挿通させてリング状に形成して取り付けられる。
【００４２】
以上が、本発明の一実施形態に係る培養土材料計測具（１）の構造についての説明である。次に、本発明の一実施形態に係る培養土材料計測具（１）の使用態様について添付図面に基づいて説明する。
【００４３】
まず、図１２に図示するように、計測者は培養土材料（Ｘ）を使用する栽培容器（Ｙ）に培養土材料計測具（１）をあてがい、棹体（２）の下面に設けられている栽培容器計測用目盛り（２７）を読み取って栽培容器（Ｙ）の大きさを計測する。そうすると、計測者は、培養土材料を収納している収納容器や該収納容器内に封入されている説明書等に記載されている栽培容器（Ｙ）の大きさに応じて使用する培養土材料の量を示す数値を見ることによって、栽培容器（Ｙ）の大きさに応じた適切な培養土材料（Ｘ）の量を把握した上で、培養土材料計測具（１）を使用して培養土材料（Ｘ）の量を計測することができる。
【００４４】
次に、計測者は支点部（２５）に吊下体（５）を挿通してリング状に形成し、棹体（２）に吊下体（５）を取り付ける。もっとも、上記のような栽培容器（Ｙ）の大きさを計測する作業の支障にならなければ、栽培容器（Ｙ）の大きさを計測する前に棹体（２）に吊下体（５）を取り付けておいてもよい。
【００４５】
そして、使用者は連結紐（６）の一端を計量容器（４）の上部に引っ掛けるとともに、連結紐（６）の他端を係止突起（２８）に引っ掛けることによって、計量容器吊下端部（２４）に計量容器（４）を吊り下げる。
【００４６】
計測者は、図１３に図示するように多量ないし重量な培養土材料（Ｘ）を計量する際は重量計測用錘体（３１）を選択し、図１４に図示するように少量ないし軽量な培養土材料（Ｘ）を計量する際は軽量計測用錘体（３２）を選択する。
【００４７】
ここで、棹体（２）の出入口端部には誤挿入防止部（２２）が設けられているとともに、重量計測用錘体（３１）における透窓（３１ｂ）は挿通孔（３ａ）を挟んで一側側に設けられているのに対して、軽量計測用錘体（３２）における透窓（３２ｂ）は挿通孔（３２ａ）を挟んで他側側に設けられているため、計測者が重量計測用錘体（３１）と軽量計測用錘体（３２）とを取り違えて棹体（２）に誤挿入することがない。
【００４８】
その上で、計測者は挿通孔（３１ａ、３２ａ）に棹体（２）を挿通し、錘体（３）に棹体（２）の外周面上を摺動させ、多量ないし重量な培養土材料（Ｘ）を計量する際は重量計測用錘体（３１）における透窓（３１ｂ）が指し示す粗い目盛り（２６ａ）を、少量ないし軽量な培養土材料（Ｘ）を計量する際は軽量計測用錘体（３２）における透窓（３２ｂ）が指し示す細かい目盛り（２６ｂ）をそれぞれ読み取り、栽培容器（Ｙ）の大きさに応じた適切な培養土材料（Ｘ）の量を指し示す数値の箇所に位置させる。重量計測用錘体（３１）と軽量計測用錘体（３２）とを使い分けることによって、計測者は粗い目盛り（２６ａ）と細かい目盛り（２６ｂ）をそれぞれ正確かつ明確に読み取ることができるのである。
【００４９】
そして、計測者は、計量容器（４）内に適当な量の培養土材料（Ｘ）を収容し、吊下体（５）を把持しながら培養土材料計測具（１）を吊り下げ、錘体出入口端部（２２）と計量容器吊下端部（２４）とが釣り合って棹体（２）が水平になるまで計量容器（４）内に培養土材料（Ｘ）を収容したり、あるいは計量容器（４）内から培養土材料（Ｘ）を排出したりして、計量容器（４）内の培養土材料（Ｘ）の量を調節するのである。
【００５０】
上記のように、培養土材料計測具（１）は、培養土材料（Ｘ）の量を計測することができるのはもちろん、棹体（２）の上面に多量ないし重量な培養土材料（Ｘ）を計量する際に用いる粗い目盛り（２６ａ）と少量ないし軽量な培養土材料（Ｘ）を計量する際に用いる細かい目盛り（２６ｂ）が設けられているため、特に少量ないしの培養土材料（Ｘ）について細かな量に至るまで正確に計測を行うことができる。
【００５１】
また、本発明に係る培養土材料計測具（１）は、各種の電気秤とは異なり、電気的なエネルギーを消費することなく計測を行うことができる。そして、培養土材料計測具（１）が屋外での使用等により土や泥等で棹秤が汚染されてしまっても、棹体（２）と、錘体（３）と、計量容器（４）と、吊下体（５）等に分解して隅々まで洗浄することができる。同時に、培養土材料計測具（１）は、これを分解することができるため、その保管と運搬の点においても好適である。更に、培養土材料計測具（１）は上記のように比較的単純な構造であるから、屋外で風雨に暴露される等しても損壊し難い。
【符号の説明】
【００５２】
１  培養土材料計測具
２  棹体
２１  突条
２２  錘体出入口端部
２３  誤挿入防止部
２４  計量容器吊下端部
２５  支点部
２６  培養土材料計測用目盛り
２６ａ  粗い目盛り
２６ｂ  細かい目盛り
２７  栽培容器計測用目盛り
２８  係止突起
３  錘体
３１  重量計測用錘体
３１ａ  挿通孔
３１ｂ  透窓
３１ｃ  補助錘取付孔部
３２  軽量計測用錘体
３２ａ  挿通孔
３２ｂ  透窓
３３  補助錘
４  計量容器
４ａ  容器本体
４ｂ  蓋体
５  吊下体
６  連結紐
Ｘ  培養土材料
Ｙ  栽培容器
【図１】
2017146185.tif 000003
【図２】
2017146185.tif 000004
【図３】
2017146185.tif 000005
【図４】
2017146185.tif 000006
【図５】
2017146185.tif 000007
【図６】
2017146185.tif 000008
【図７】
2017146185.tif 000009
【図８】
2017146185.tif 000010
【図９】
2017146185.tif 000011
【図１０】
2017146185.tif 000012
【図１１】
2017146185.tif 000013
【図１２】
2017146185.tif 000014
【図１３】
2017146185.tif 000015
【図１４】
2017146185.tif 000016